(57)【特許請求の範囲】
【請求項１】
複数個の磁界発生器と、流体が流れる管を通すことが可能な挿通孔を有する開閉可能な一対のケースより成るカバー体とで構成された流体磁化処理具であって、各磁界発生器は、表裏両面にＮ，Ｓの各磁極が帯磁した永久磁石板と前記永久磁石板の一方の磁極面に重ねられるヨークとがケース体の内部に装填されて成り、前記カバー体の各ケースの内部には、複数個の磁界発生器が組立フレームに傾動可能に支持された状態で前記ヨークを外側に位置させてそれぞれ収納されるとともに、各組立フレームは、各磁界発生器が挿通孔の方向に変位可能なように各ケース体の両端部に取り付けられた支持板に摺動可能に支持されて成る流体磁化処理具。
【発明の詳細な説明】
【０００１】
【産業上の利用分野】
この発明は、水などの流体に磁化処理を施して流体の質を改善するための流体磁化処理具に関し、特に、この発明は、流体が流れる管の外周面に装着される流体磁化処理具に関する。
【０００２】
【従来の技術】
従来、この種の流体磁化処理具は、水道水を軟質化するなどの目的で用いられており、図１１に示すように、筒状ケース１００の内部にリング状をなす複数個の永久磁石板１０１を積層状態で装填した構造のものが提案されている。筒状ケース１００の内部の中心部は、水道管１０２を挿通することが可能な挿通孔１０３になっており、この挿通孔１０３に水道管１０２を挿通したとき、各永久磁石板１０１による磁界が水道管１０２の内部に作用し、水道管１０２を流れる水に磁化処理が施される。
【０００３】
【発明が解決しようとする課題】
しかしながら、上記した従来の流体磁化処理具は、前記挿通孔１０３の孔径を水道管１０２の外径に合わせてあるため、外径の異なる水道管に対しては、同じ流体磁化処理具を装着することができない。そのために、メーカでは、挿通孔１０３の孔径が異なる複数種のタイプを製作する必要があり、在庫管理が煩雑であり、コスト高の要因となる。
【０００４】
この発明は、上記問題に着目してなされたもので、流体が流れる管の外径が大小異なっても、管の外径に対応させた適正な状態で管の外周面に装着できる流体磁化処理具を提供することを目的とする。
【０００５】
【課題を解決するための手段】
この発明による流体磁化処理具は、複数個の磁界発生器と、流体が流れる管を通すことが可能な挿通孔を有する開閉可能な一対のケースより成るカバー体とで構成されたものである。各磁界発生器は、表裏両面にＮ，Ｓの各磁極が帯磁した永久磁石板と前記永久磁石板の一方の磁極面に重ねられるヨークとがケース体の内部に装填されて成る。前記カバー体の各ケースの内部には、複数個の磁界発生器が組立フレームに傾動可能に支持された状態で前記ヨークを外側に位置させてそれぞれ収納されるとともに、各組立フレームは、各磁界発生器が挿通孔の方向に変位可能なように各ケース体の両端部に取り付けられた支持板に摺動可能に支持されて成る。
【０００６】
【作用】
この流体磁化処理具では、流体が流れる管にカバー体を被せると、管の外径に応じて各磁界発生器が管の方向へ変位し、また、管の断面形状が円形であれば、各磁界発生器が中心方向へ傾き、各磁界発生器が管の外周面に沿って定位する。各永久磁石板の磁極にヨークが重ねられるので、各永久磁石板による磁界はヨークによって強められる。また、永久磁石板に対してヨークが外側に位置するので、各永久磁石板からの磁力線はヨークの外側に作用しない。
【０００７】
【実施例】
図１は、この発明の一実施例である流体磁化処理具１を蛇口の水道管３に装着した状態を示す。
図示例の流体磁化処理具１は、カバー体２０を開いた後、カバー体２０を構成する一対のケース２０ａ，２０ｂで水道管３を挟むようにして水道管３の外周面に装着される。各ケース２０ａ，２０ｂは合成樹脂製であり、各ケース２０ａ，２０ｂの開口面を互いに突き合わせ、一方の突合わせ端縁をヒンジ部材（図示せず。）で枢着して、開閉可能な構造としてある。各ケース２０ａ，２０ｂの両方の端面部２４ａ，２４ｂには、突き合わせ状態で水道管３の挿通孔２２を構成する矩形状の切欠部２２ａ，２２ｂがそれぞれ形成してある。
【０００８】
各ケース２０ａ，２０ｂの内部には、挿通孔２２の周囲に、それぞれ２個の磁界発生器４が収納保持される。この実施例の各磁界発生器４は、図２および図３に示すように、上面が開口したステンレス製の箱状ケース体５０と、表裏両面にＮ，Ｓの各磁極が帯磁した一枚の永久磁石板５１と、この永久磁石板５１の一方の磁極面に重ねられる板状のヨーク５２と、永久磁石板５１にヨーク５２を重ねた状態で保持するヨーク固定板５３とで構成される。前記箱状ケース体５０の両端板部５４，５４には、外向きに突出する支持軸部５５およびガイドピン５６が突設される。箱状ケース体５０の内部には、ヨーク固定板５３により一体保持された永久磁石板５１およびヨーク５２が収納配備される。
【０００９】
各磁界発生器４は、ヨーク５２を外側に位置させた状態で、各ケース２０ａ，２０ｂに支持されるもので、水道管３に流体磁化処理具１を装着したとき、各永久磁石板５１による磁界がヨーク５２により強められて水道管３の内部に形成される。また、各永久磁石板５１からの磁力線は、ヨーク５２の外側へは作用せず、従って、カバー体２０の外側に磁界が作用するのを防止できる。
【００１０】
一方のケース２０ａに配置される２個の磁界発生器４では、永久磁石板５１のＳ磁極面にヨーク５２が重ねられるので、水道管３の外周面には永久磁石板５１のＮ磁極面が対接する。他方のケース２０ｂに配置される２個の磁界発生器４では、永久磁石板５１のＮ磁極面にヨーク５２が重ねられるので、水道管３の外周面には永久磁石板５１のＳ磁極面が対接する。２個の磁界発生器４のＮ磁極面を発した磁力線は水道管３を通って２個の磁界発生器４のＳ磁極面に達することで水道管３の内部に磁界が生成される。
【００１１】
ケース毎の２個の磁界発生器４は、図４に示すような組立フレーム６０に互いに平行な状態で一体に組み込まれる。組立フレーム６０は、同一形状の前面フレーム６０ａおよび後面フレーム６０ｂと、両フレーム６０ａ，６０ｂの中央部間に設けられた仕切フレーム６０ｃと、両フレーム６０ａ，６０ｂの両端部間に設けられた２本の連結軸６１，６１とで構成される。
【００１２】
前面フレーム６０ａおよび後面フレーム６０ｂには、各磁界発生器４の支持軸部５５を回動自由に支持する軸受孔６４と、ガイドピン５６を摺動自由に係合させる円弧状のガイド溝６３と、連結軸６１の軸端部が挿入される止め孔６２とが形成されている。各磁界発生器４の支持軸部５５の先端部および各連結軸６１の軸端部は前面フレーム６０ａおよび後面フレーム６０ｂより外方へ突出し、後述する支持板７０の溝部７１や長孔部７２に係合する。前記ガイド溝６３は、磁界発生器４の回動範囲を規定するために所定の角度に設定される。
【００１３】
各ケース２０ａ，２０ｂの両方の端面部２４ａ，２４ｂの内側には、図５に示すように、支持板７０がそれぞれ取付け固定される。各支持板７０は、各ケース２０ａ，２０ｂを突き合わせた状態で水道管３の挿通孔２２を構成する矩形状の切欠部７３ａ，７３ｂを有する。各支持板７０の線対称位置には、各磁界発生器４を水道管３の方向へ変位可能なように、各磁界発生器４の支持軸部５５および前記連結軸６１の軸端部を摺動可能に係合させる溝部７１および長孔部７２が形成される。
２個の磁界発生器４，４が組み込まれた組立フレーム６０は、図６に示すように、左右の連結軸６１の両軸端部を各支持板７０の長孔部７２に係入することにより、２枚の支持板７０，７０間に組み込まれる。
【００１４】
図示例の流体磁化処理具１は、開放したケース２０ａ，２０ｂを閉じることにより水道管３の外周面に装着される。
この流体磁化処理具１は、水道管３の外径が大小異なっていても装着可能であるだけでなく、断面形状が円形の水道管３にも、断面形状が矩形の水道管３にも、それぞれ装着できる。
【００１５】
図７は、断面形状が矩形でありかつ断面積の大きな水道管３に装着された状態を示すもので、各ケース２０ａ，２０ｂの各磁界発生器４は最も離れた位置にあり、傾きがゼロの真っ直ぐな姿勢となっている。
【００１６】
図８は、断面形状が矩形でありかつ断面積の小さな水道管３に装着された状態を示すもので、各ケース２０ａ，２０ｂの各磁界発生器４は接近した位置にあり、傾きがゼロの真っ直ぐな姿勢となっている。
断面形状が矩形の水道管３に装着した場合は、左右同位置にある磁界発生器４，４同志が互いに対向する。
【００１７】
図９は、断面形状が円形でありかつ大径の水道管３に装着された状態を示すもので、各ケース２０ａ，２０ｂの各磁界発生器４はわずかに接近した位置にあり、水道管３の中心方向を向く傾いた姿勢となっている。
【００１８】
図１０は、断面形状が円形でありかつ小径の水道管３に装着された状態を示すもので、各ケース２０ａ，２０ｂの各磁界発生器４は最も接近した位置にあり、水道管３の中心方向を向く傾いた姿勢となっている。
断面形状が円形の水道管３に装着した場合は、対角位置の関係にある磁界発生器４，４が互いに対向する。
【００１９】
なお、上記の実施例は、水道水に磁化処理を施して水質を改善するものであるが、この実施例のものを、下水管に装着すれば、下水管内が錆や汚物で詰まるのを防止できる。
また、この発明の流体磁化処理具は、水に限らず、石油のような炭化水素系の液体、さらには液体に限らず、気体にも同様の磁化処理を施して、流体を改質することも可能である。
【００２０】
【発明の効果】
この発明によれば、開閉可能なカバー体の内部の挿通孔の周囲に、各磁界発生器を挿通孔の方向へ変位することが可能な状態で支持するから、流体が流れる管の外径が大小異なっていても、外径に対応させた適正な状態で装着することが可能である。また、各磁界発生器は組立フレームに傾動可能に支持された状態でカバー体の各ケースの内部に収納されるから、管の断面形状が円形であっても矩形であっても、各磁界発生器を管の外周面に装着できる。しかも、カバー体を開閉するだけで装着でき、取扱がきわめて簡単である。また、表裏両面にＮ，Ｓの各磁極が帯磁した永久磁石板と前記永久磁石板の一方の磁極面に重ねられるヨークとを内部に装填して磁界発生器を形成するとともに、前記ヨークを外側に位置させて、カバー体の内部に磁界発生器を支持するから、永久磁石板による磁界をヨークによって強めることができ、また、各永久磁石板からの磁力線がヨークの外側に作用するのを防止できる。
【図面の簡単な説明】
【図１】この発明の一実施例である流体磁化処理具を水道管に装着した状態を示す斜視図である。
【図２】磁界発生器の構成を示す分解斜視図である。
【図３】磁界発生器の構成を示す断面図である。
【図４】組立フレームに磁界発生器を組み込んだ状態を示す斜視図である。
【図５】支持板の構成を示す正面図である。
【図６】磁界発生器が組み込まれた組立フレームを支持板間に組み込んだ状態を示す平面図である。
【図７】断面形状が矩形でありかつ断面積の大きな水道管に装着した状態を示す正面図である。
【図８】断面形状が矩形でありかつ断面積の小さな水道管に装着した状態を示す正面図である。
【図９】断面形状が円形でありかつ径の大きな水道管に装着した状態を示す正面図である。
【図１０】断面形状が円形でありかつ径の小さな水道管に装着した状態を示す正面図である。
【図１１】従来例の構成を示す断面図である。
【符号の説明】
４    磁界発生器
２０  カバー体
２２  挿通孔
５０  ケース体
５１  永久磁石板
５２  ヨーク
６０  組立フレーム
７０  支持板
【図１】
0003726068.tif 000002
【図２】
0003726068.tif 000003
【図３】
0003726068.tif 000004
【図４】
0003726068.tif 000005
【図５】
0003726068.tif 000006
【図６】
0003726068.tif 000007
【図７】
0003726068.tif 000008
【図８】
0003726068.tif 000009
【図９】
0003726068.tif 000010
【図１０】
0003726068.tif 000011
【図１１】
0003726068.tif 000012